(57)【要約】【課題】簡易な構成で封止シートを収容することができながら、封止シートを収容しないときには、省スペース化を図ることのできる封止シート収容器を提供すること。【解決手段】  封止シート収容器１Ａに対して封止シート収容器１Ｂを、上下方向に投影したときに、第１凸部１７Ｂと第１凹部１９Ａとが重なり、第１凹部１９Ｂと第１凸部１７Ａと重なることにより、天壁１０Ｂと天壁１０Ａとが離間され、固定シート９３を収容可能な空間を形成する収容位置と、左右方向に投影したときに、第１凸部１７Ｂと第１凸部１７Ａとが重なり、第１凹部１９Ｂと第１凹部１９Ａとが重なることにより、天壁１０Ｂと天壁１０Ａとが近接され、２つの封止シート収容器１の積重ね長さが、収容位置における２つの封止シート収容器１の積重ね長さよりも短くなる積重ね位置とに選択的に重ねることが可能である。【選択図】図１
2014183299.tif 000002
【特許請求の範囲】
【請求項１】
封止シートを収容可能な封止シート収容器であって、
所定厚みを有し、厚み方向と直交する第１方向に沿って延びる中央部と、
前記中央部の前記第１方向の両外側において、前記厚み方向に間隔を隔てるように配置される１対の端部と、
前記中央部と前記１対の端部とを前記厚み方向に沿って連結する１対の連結部と
を備え、
前記１対の連結部は、
前記第１方向の外側に突出する少なくとも１つの凸部と、
前記第１方向内側に窪む少なくとも１つの凹部と
を備え、
２つの前記封止シート収容器を、前記厚み方向において、収容位置と積重ね位置とに選択的に重ねることが可能であって、
前記収容位置では、
前記厚み方向に投影したときに、前記厚み方向の一方側の前記封止シート収容器の前記凸部と、前記厚み方向の他方側の前記封止シート収容器の前記凹部とが重なり、前記厚み方向の一方側の前記封止シート収容器の前記凹部と、前記厚み方向の他方側の前記封止シート収容器の前記凸部とが重なり、前記１対の連結部が厚み方向に並ぶように配置されることにより、前記厚み方向の一方側の前記封止シート収容器の中央部と、前記厚み方向の他方側の前記封止シート収容器の中央部とが相対的に離間され、前記封止シートを収容可能な空間が形成され、
前記積重ね位置では、
前記第１方向に投影したときに、前記厚み方向の一方側の前記封止シート収容器の前記凸部と、前記厚み方向の他方側の前記封止シート収容器の前記凸部とが重なり、前記厚み方向の一方側の前記封止シート収容器の前記凹部と、前記厚み方向の他方側の前記封止シート収容器の前記凹部とが重なり、前記１対の連結部が第１方向に並ぶように配置されることにより、前記厚み方向の一方側の前記封止シート収容器の中央部と、前記厚み方向の他方側の前記封止シート収容器の中央部とが相対的に近接され、２つの前記封止シート収容器の積重ね長さが、前記収容位置における２つの前記封止シート収容器の積重ね長さよりも短くなる
ことを特徴とする、封止シート収容器。
【請求項２】
前記厚み方向に投影したときに、前記１対の連結部は、前記１対の連結部間の中央における前記厚み方向および前記第１方向の両方と直交する第２方向に沿う仮想線に対して、線対称に形成されていることを特徴とする、請求項１に記載の封止シート収容器。
【請求項３】
前記凹部および前記凸部は、前記１対の連結部において、それぞれ複数形成されており、前記厚み方向および前記第１方向の両方と直交する第２方向に沿う波形状を構成していることを特徴とする、請求項１または２に記載の封止シート収容器。
【請求項４】
前記１対の端部よりも前記第１方向両外側において、２つの前記封止シート収容器を重ねるときに位置決めするための位置決め部を備えていることを特徴とする、請求項１ないし３のいずれか一項に記載の封止シート収容器。
【発明の詳細な説明】
【技術分野】
【０００１】
本発明は、封止シート収容器、詳しくは、封止シートを収容する封止シート収容器に関する。
【背景技術】
【０００２】
従来より、電子素子などを封止シートによって封止し、電子装置を構成することが知られている。
【０００３】
このような封止シートとして、樹脂膜と、樹脂膜の表面に仮着される剥離シートとを備える封止シートが知られている（例えば、特許文献１参照）。
【０００４】
このような封止シートでは、出荷時には、樹脂膜の表面が、剥離シートによって保護されている。
【０００５】
そして、使用時には、封止シートは、樹脂膜から剥離シートを剥がして樹脂膜を露出させ、電子素子などに対して貼り付けて封止するようにして使用される。
【先行技術文献】
【特許文献】
【０００６】
【特許文献１】特開２００９−１４１０２０号公報
【発明の概要】
【発明が解決しようとする課題】
【０００７】
しかるに、上記した特許文献１に記載の封止シートでは、タック性の高い樹脂が樹脂膜として使用される場合には、剥離シートを仮着することができず、樹脂膜を保護することができないという不具合がある。
【０００８】
一方、樹脂膜は、その表面が保護されていないと、空気中の埃や、他部材との接触により、封止シートとしての役割を成さなくなるという不具合がある。
【０００９】
そこで、封止シートの保護のために、樹脂膜と他部材との接触を防止するための空間を有する専用の梱包容器に、封止シートを収容することが検討される。しかし、そのような専用の梱包容器では、封止シートを収容する空間を形成する必要がある分、封止シートを収容せずに、専用の梱包容器を保管、出荷、搬送するときに、積重ねたときの嵩が増え、多くのスペースが必要となる。
【００１０】
そこで、本発明の目的は、簡易な構成で封止シートを収容することのできながら、封止シートを収容しないときには、省スペース化を図ることのできる封止シート収容器を提供することにある。
【課題を解決するための手段】
【００１１】
上記目的を達成するために、本発明の封止シート収容器は、封止シートを収容可能であって、所定厚みを有し、厚み方向と直交する第１方向に沿って延びる中央部と、中央部の第１方向の両外側において、厚み方向に間隔を隔てるように配置される１対の端部と、中央部と１対の端部とを厚み方向に沿って連結する１対の連結部とを備え、１対の連結部は、第１方向の外側に突出する少なくとも１つの凸部と、第１方向内側に窪む少なくとも１つの凹部とを備え、２つの封止シート収容器を、厚み方向において、収容位置と積重ね位置とに選択的に重ねることが可能であって、収容位置では、厚み方向に投影したときに、厚み方向の一方側の封止シート収容器の凸部と、厚み方向の他方側の封止シート収容器の凹部とが重なり、厚み方向の一方側の封止シート収容器の凹部と、厚み方向の他方側の封止シート収容器の凸部とが重なり、１対の連結部が厚み方向に並ぶように配置されることにより、厚み方向の一方側の封止シート収容器の中央部と、厚み方向の他方側の封止シート収容器の中央部とが相対的に離間され、封止シートを収容可能な空間が形成され、積重ね位置では、第１方向に投影したときに、厚み方向の一方側の封止シート収容器の凸部と、厚み方向の他方側の封止シート収容器の凸部とが重なり、厚み方向の一方側の封止シート収容器の凹部と、厚み方向の他方側の封止シート収容器の凹部とが重なり、１対の連結部が第１方向に並ぶように配置されることにより、厚み方向の一方側の封止シート収容器の中央部と、厚み方向の他方側の封止シート収容器の中央部とが相対的に近接され、２つの封止シート収容器の積重ね長さが、収容位置における２つの封止シート収容器の積重ね長さよりも短くなる。
【００１２】
このような封止シート収容器では、２つの封止シート収容器を、収容位置に重ねると、２つの封止シート収容器の１対の連結部同士が厚み方向に並ぶように配置され、２つの封止シート収容器の中央部同士が相対的に離間することにより、封止シートを収容可能な空間が形成される。また、２つの封止シート収容器を、積重ね位置に重ねると、２つの封止シート収容器の１対の連結部同士が第１方向に並ぶように配置され、２つの封止シート収容器の中央部同士が相対的に近接することにより、２つの封止シート収容器の積重ね長さが、収容位置における２つの封止シート収容器の積重ね長さよりも短くなる。
【００１３】
つまり、２つの封止シート収容器から、封止シートを収容可能な空間が形成される収容位置と、収容位置における２つの封止シート収容器の積重ね長さよりも、２つの封止シート収容器の積重ね長さが短くなる積重ね位置とを構成することができる。
【００１４】
そのため、封止シート収容器を２つ重ねることによって、収容位置では、封止シートを収容可能な空間に、封止シートを収容・保護することができ、積重ね位置では、封止シートを収容する必要がないので、２つの封止シート収容器の積重ね長さを短くして、省スペース化を図ることができる。
【００１５】
また、収容位置において、厚み方向一方側の封止シート収容器の凸部と、厚み方向他方側の封止シート収容器の凹部とが重なり、厚み方向一方側の封止シート収容器の凹部と、厚み方向他方側の封止シート収容器の凸部とが重なる、言い換えると、厚み方向一方側の封止シート収容器の凸部の厚み方向他方側端部と、厚み方向他方側の封止シート収容器の凹部の厚み方向一方側端部とは非接触であり、厚み方向一方側の封止シート収容器の凹部の厚み方向他方側端部と、厚み方向他方側の封止シート収容器の凸部の厚み方向一方側端部とは当接される。
【００１６】
例えば、収容位置における封止シートを収容可能な空間に、封止シートを載置するときに、封止シートを固定するための固定シートを用いる場合がある。
【００１７】
このような場合には、固定シートを、厚み方向に投影したときに、厚み方向他方側の封止シート収容器の凹部および凸部と重なるように配置することによって、厚み方向一方側の封止シート収容器の凹部と、厚み方向他方側の封止シート収容器の凸部との当接部分で、固定シートの一部を挟み、固定することができる。
【００１８】
そのため、空間を形成するための１対の連結部の凹部および凸部を利用して、固定シートを固定することができ、封止シート収容器に、より効率的に封止シートを収容することができる。
【００１９】
また、本発明の封止シート収容器では、厚み方向に投影したときに、１対の連結部は、１対の連結部間の中央における厚み方向および第１方向の両方と直交する第２方向に沿う仮想線に対して、線対称に形成されていることが好適である。
【００２０】
このような封止シート収容器では、１対の連結部を仮想線に対して線対称に形成することによって、厚み方向の一方側の封止シート収容器、または、厚み方向他方側の封止シート収容器のいずれか一方を、第２方向に沿う仮想線に対して、封止シート収容器の１対の連結部の一方側と他方側とが入れ替わるように配置するだけで、２つの封止シート収容器を収容位置と積重ね位置とに切り替えることができる。
【００２１】
そのため、簡易な作業により収容位置と積重ね位置とに選択的に重ねることができる。
【００２２】
また、１対の連結部を仮想線に対して線対称に形成することで、１対の連結部のそれぞれを同一形状に形成することができる。
【００２３】
また、本発明の封止シート収容器では、凹部および凸部は、１対の連結部において、それぞれ複数形成されており、厚み方向および第１方向の両方と直交する第２方向に沿う波形状を構成していることが好適である。
【００２４】
このような封止シート収容器では、２つの封止シート収容器を収容位置に重ねると、厚み方向に投影したときに、厚み方向一方側の封止シート収容器の複数の凹部のそれぞれと、厚み方向他方側の封止シート収容器の複数の凸部のそれぞれとが重なるように配置される。
【００２５】
そのため、複数の当接部分を有するように２つの封止シート収容器を重ねることができるので、２つの封止シート収容器によって、封止シートを収容可能な空間を安定して形成することができる。
【００２６】
また、封止シート収容器に凸部と凹部とが複数設けられていたとしても、２つの封止シート収容器を積重ね位置に重ねると、第１方向に投影したときに、２つの封止シート収容器のそれぞれの凸部同士が重なるように配置され、２つの封止シート収容器のそれぞれの凹部同士が重なるように配置される。
【００２７】
そのため、凸部および凹部の数量に関係なく、２つの封止シート収容器の１対の連結部同士を第１方向に並ぶように配置することができ、２つの封止シート収容器の積重ね長さを短くすることができる。
【００２８】
その結果、２つの封止シート収容器を収容位置に重ねるときには、封止シートを収容する空間を安定して形成することができながら、２つの封止シート収容器を積重ね位置に重ねるときには、封止シートを収容しないときの２つの封止シート収容器の積重ね長さを、短く保つことができる。
【００２９】
その結果、封止シートの品質を確実に保つことができる。
【００３０】
また、本発明の封止シート収容器では、１対の端部よりも第１方向両外側において、２つの封止シート収容器を重ねるときに位置決めするための位置決め部を備えていることが好適である。
【００３１】
このような封止シート収容器では、２つの封止シート収容器を重ねるときに、位置決め部を用いることによって、収容位置においては、厚み方向に投影したときに、厚み方向一方側の封止シート収容器の凸部と、厚み方向他方側の封止シート収容器の凹部とが重なり、厚み方向一方側の封止シート収容器の凹部と、厚み方向他方側の封止シート収容器の凸部とが重なるように、確実に位置決めすることができる。
【００３２】
また、位置決め部を用いることによって、積重ね位置においては、第１方向に投影したときに、厚み方向一方側の封止シート収容器の凸部と、厚み方向他方側の封止シート収容器の凸部とが重なり、厚み方向一方側の封止シート収容器の凹部と、厚み方向他方側の封止シート収容器の凹部とが重なるように、確実に位置決めすることができる。
【００３３】
その結果、収容位置および積重ね位置の各位置において、２つの封止シート収容器を安定して重ねることができる。
【発明の効果】
【００３４】
本発明の封止シート収容器では、簡易な構成で封止シートを収容することができながら、封止シートを収容しないときには、省スペース化を図ることができる。
【図面の簡単な説明】
【００３５】
【図１】図１は、本発明の一実施形態の封止シート収容器、固定シート、および、封止シートの分解斜視図である。なお、便宜的に、図１に示す方向矢印は、紙面下側に図示される封止シート収容器の方向を現すものとする。
【図２】図２は、図１に示す封止シート収容器の平面図である。
【図３】図３Ａは、図２に示す封止シート収容器のＡ−Ａ断面図を示し、図３Ｂは、図２に示す封止シート収容器のＢ−Ｂ断面図を示す。
【図４】図４Ｃは、図２に示す封止シート収容器のＣ−Ｃ断面図を示し、図４Ｄは、図２に示す封止シート収容器のＤ−Ｄ断面図を示す。
【図５】図５は、図１に示す封止シート収容器を、収容位置に重ねた状態を示す。
【図６】図６は、図５に示す収容位置の封止シート収容器の平面図である。
【図７】図７Ａは、図６に示す収容位置の封止シート収容器のＡ’−Ａ’断面図を示し、図７Ｂは、図６に示す収容位置のＢ’−Ｂ’断面図を示す。
【図８】図８Ｃは、図６に示す収容位置の封止シート収容器のＣ’−Ｃ’断面図を示し、図８Ｄは、図６に示す収容位置の封止シート収容器のＤ’−Ｄ’断面図を示す。
【図９】図９は、図１に示す封止シート収容器を、積重ね位置に重ねた状態を示す。
【図１０】図１０Ａは、図９に示す積重ね位置の封止シート収容器における、図２のＡ−Ａ断面と同一位置の断面図を示し、図１０Ｂは、図９に示す積重ね位置の封止シート収容器における、図２のＢ−Ｂ断面と同一位置の断面図を示す。
【図１１】図１１Ｃは、図９に示す積重ね位置の封止シート収容器における、図２のＣ−Ｃ断面と同一位置の断面図を示し、図１０Ｄは、図９に示す積重ね位置の封止シート収容器における、図２のＤ−Ｄ断面と同一位置の断面図を示す。
【図１２】図１２Ａは、図１に示す封止シート収容器を、収容位置に複数重ねた状態を示し、図１２Ｂは、図１に示す封止シート収容器を、積重ね位置に複数重ねた状態を示す。
【図１３】図１３は、複数の封止シートが封止シート載置領域に載置される状態を示し、図１３Ａは、略矩形状の封止シートであり、図１３Ｂは、略円形状の封止シートである。
【発明を実施するための形態】
【００３６】
１．封止シート収容器の構成
本発明の一実施形態の封止シート収容器１は、図１に示すように、２つ重ねることによって、封止シート９６（後述）を収容するものであって、例えば、ポリエチレンテレフタレート（ＰＥＴ）などのポリエステル系樹脂、ポリエチレン（ＰＥ）、ポリスチレン（ＰＳ）などのポリオレフィン系樹脂などの樹脂から、一定の厚み（例えば、０．３〜１．０ｍｍ）を有する平面視略矩形の薄板状に形成されている。
【００３７】
なお、封止シート収容器１に関し、方向について言及する場合には、それぞれ水平方向に載置したときの方向を基準とし、具体的には、各図に示した矢印方向を基準とする。なお、図１に示す矢印方向は、紙面下側に図示される封止シート収容器１に対して適応されるものとし、以下の説明では、下側の封止シート収容器１について詳述する。
【００３８】
封止シート収容器１は、収容部４と、枠部５と、溝部６と、複数（４つ）の架設部７とを一体的に備えている。
【００３９】
収容部４は、図２および図３に示すように、封止シート収容器１の内側部分であって、下側が開放された略ボックス形状に形成されている。
【００４０】
枠部５は、図１および図３に示すように、封止シート収容器１の周縁部分であって、収容部４の外周縁から、前後左右方向外側に間隔を隔てて配置され、上側に向かって突出する平面視略矩形枠形状に形成されている。枠部５は、その下端部が、上下方向（厚み方向）において、収容部４の下端部（後述する１対の第１連結壁１１および１対の第２連結壁１２の下端部）と略同一位置となるように配置されている。また、枠部５は、その上端部が、収容部４の上端部（後述する天壁１０）よりも、上方となるように配置されている。
【００４１】
溝部６は、収容部４の下端外周縁と、枠部５の下端内周縁とを連結する平面視略矩形枠形状に形成されている。
【００４２】
架設部７は、図１および図２に示すように、平面視における溝部６の４つの角のそれぞれから、上方に向かって突出し、収容部４の４つの角のそれぞれと、収容部４の４つの角のそれぞれと隣接する枠部５の４つの角のそれぞれとの間を架設するように形成されている。また、架設部７は、その上端部が、上下方向において、収容部４の上端部（後述する天壁１０）と略同一位置となるように配置されている。
【００４３】
（１）収容部
収容部４は、図２および図３に示すように、中央部の一例としての天壁１０と、１対の連結部の一例としての１対の第１連結壁１１（左右連結壁）と、図２および図４に示すように、１対の連結部の一例としての１対の第２連結壁１２（前後連結壁）とを備えている。
【００４４】
天壁１０は、収容部４の上側部分であって、前後方向に長手の平面視略矩形の平板形状に形成されている。
【００４５】
１対の第１連結壁１１は、図２および図３に示すように、左右方向（すなわち、第１方向）に互いに間隔を隔てて配置され、天壁１０の左右方向外側の両端縁から連続して、下方に向かって延びる側面視略矩形の平板形状に形成されている。つまり、左側の第１連結壁１１（１対の第１連結壁１１の一方側）は、図２に示すように、左前側の架設部７と左後側の架設部７との間に架設されるように配置されており、右側の第１連結壁１１（１対の第１連結壁１１の他方側）は、右前側の架設部７と右後側の架設部７との間に架設されるように配置されている。１対の第１連結壁１１は、図３に示すように、上方に向かうに従って、わずかに左右方向内側に向かって傾斜するように形成されている。第１連結壁１１は、図２に示すように、第１短部１５と、第１長部１６と、複数（６つ）の凸部の一例としての第１凸部１７（収容部側左右凸部）と、複数（５つ）の凹部の一例としての第１凹部１９（収容部側左右凹部）とを備えている。
【００４６】
第１短部１５は、第１連結壁１１の前側部分であって、平面視略直線状の平板形状に形成されている。
【００４７】
第１長部１６は、第１連結壁１１の後側部分であって、平面視略直線状の平板形状に形成されている。第１長部１６の前後方向（すなわち、第２方向）長さは、第１短部１５の前後方向長さよりも長い。
【００４８】
第１凸部１７は、第１連結壁１１における第１短部１５と第１長部１６との間において、前後方向に沿って等間隔に６つ配置されている。なお、最前端の第１凸部１７は第１短部１５と連続され、最後端の第１凸部１７は第１長部１６と連続されている。第１凸部１７は、図１および図２に示すように、第１連結壁１１の上下方向全域にわたって、左右方向外側に向かって湾曲するように突出する平面視略半円形状に形成されている。第１凸部１７の左右方向外側端部は、図２に示すように、左右方向において、第１短部１５および第１長部１６よりも、左右方向外側となるように配置されている。
【００４９】
第１凹部１９は、第１連結壁１１における第１短部１５と第１長部１６との間において、前後方向に沿って等間隔に５つ配置されている。第１凹部１９は、図１および図２に示すように、前後方向に隣接する第１凸部１７の間に連続して配置され、第１連結壁１１の上下方向全域にわたって、左右方向内側に向かって湾曲するように窪む平面視略半円形状に形成されている。第１凹部１９の左右方向内側端部は、図２に示すように、左右方向において、第１短部１５および第１長部１６と略同一位置となるように配置されている。
【００５０】
このように、第１連結壁１１の前後方向端部に第１短部１５および第１長部１６が形成され、その間に連続して複数の第１凸部１７と複数の第１凹部１９とが、交互に形成されていることにより、平面視において、天壁１０の左右方向両外側の端縁は、前後方向両端部が前後方向に沿う略直線状であり、その前後方向略中央部分が前後方向に沿う波形状に形成されている。
【００５１】
そして、上下方向に投影したときに、第１凸部１７によって囲まれる天壁１０の略半円形状部分が、第１凸部上面１８として区画されている。すなわち、第１凸部上面１８は、複数の第１凸部１７に対応して、天壁１０の左右方向外側部分のそれぞれにおいて、前後方向に沿って、６つずつ区画されている。
【００５２】
このように、１対の第１連結壁１１は、収容部４において、１対の第２連結壁１２間の中央における左右方向に沿う仮想線Ｘ（図２仮想線参照）に対して非線対称であり、１対の第１連結壁１１間の中央における前後方向に沿う仮想線Ｙ（図２仮想線参照）に対して線対称に形成されている。
【００５３】
１対の第２連結壁１２は、図２および図４に示すように、前後方向に互いに間隔を隔てて配置され、天壁１０の前後方向外側の両端縁から連続して、下方に向かって延びる正面視略矩形の平板形状に形成されている。つまり、図２に示すように、前側の第２連結壁１２（１対の第２連結壁１２の一方側）は、左前側の架設部７と右前側の架設部７との間に架設されるように配置されており、後側の第２連結壁１２（１対の第２連結壁１２の他方側）は、左後側の架設部７と、右後側の架設部７との間に架設されるように配置されている。また、第２連結壁１２は、その左右方向長さが、第１連結壁１１の前後方向長さよりも短い。１対の第２連結壁１２は、図４に示すように、上方に向かうに従って、わずかに前後方向内側に向かって傾斜するように形成されている。第２連結壁１２は、図２に示すように、第２短部２５と、第２長部２６と、複数（５つ）の凹部の一例としての第２凹部２９（収容部側前後凹部）と、複数（４つ）の凸部の一例としての第２凸部２７（収容部側前後凸部）とを備えている。
【００５４】
第２短部２５は、第２連結壁１２の左側部分であって、平面視略直線状の平板形状に形成されている。
【００５５】
第２長部２６は、第２連結壁１２の右側部分であって、平面視略直線状の平板形状に形成されている。第２長部２６の左右方向長さは、第２短部２５の左右方向長さよりも長い。
【００５６】
第２凹部２９は、第２連結壁１２における第２短部２５と第２長部２６との間において、左右方向に沿って等間隔に５つ配置されている。なお、最左端の第２凹部２９は第２短部２５と連続され、最右端の第２凹部２９は第２長部２６と連続されている。第２凹部２９は、図１および図２に示すように、第２連結壁１２の上下方向全域にわたって、前後方向内側に向かって湾曲するように窪む平面視略半円形状に形成されている。第２凹部２９の前後方向内側端部は、図２に示すように、前後方向において、第２短部２５および第２長部２６よりも、前後方向内側となるように配置されている。
【００５７】
第２凸部２７は、第２連結壁１２における第２短部２５と第２長部２６との間において、左右方向に沿って等間隔に４つ配置されている。第２凸部２７は、図１および図２に示すように、左右方向に隣接する第２凹部２９の間に連続して配置され、第２連結壁１２の上下方向全域にわたって、前後方向外側に向かって湾曲するように突出する平面視略半円形状に形成されている。第２凸部２７の前後方向外側端部は、図２に示すように、前後方向において、第２短部２５および第２長部２６と略同一位置となるように配置されている。
【００５８】
このように、第２連結壁１２の左右方向端部に第２短部２５および第２長部２６が形成され、その間に連続して複数の第２凹部２９と複数の第２凸部２７とが、交互に形成されていることにより、平面視において、天壁１０の前後方向両外側の端縁は、左右方向両端部が左右方向に沿う略直線状であり、その左右方向略中央部分が左右方向に沿う波形状に形成されている。
【００５９】
そして、上下方向に投影したときに、第２凸部２７によって囲まれる天壁１０の略半円形状部分が、第２凸部上面２８として区画されている。また、天壁１０の右側において、最右端の第２凹部２９および第２長部２６と隣接する部分が、第２凸部上面２８として区画されている。すなわち、第２凸部上面２８は、天壁１０の前後方向外側部分のそれぞれにおいて、左右方向に沿って、５つずつ区画されている。
【００６０】
このように、１対の第２連結壁１２は、収容部４において、仮想線Ｙ（図２仮想線参照）に対して非線対称であり、仮想線Ｘ（図２仮想線参照）に対して線対称に形成されている。
【００６１】
なお、収容部４において、天壁１０には、固定シート載置領域８４と封止シート載置領域８５とが区画されている。
【００６２】
固定シート載置領域８４は、天壁１０において、その左右方向長さが、１対の第１連結壁１１のそれぞれの第１凸部１７の左右方向外側端部間の長さよりも短く、１対の第１連結壁１１のそれぞれの第１凹部１９の左右方向内側端部間の長さよりも長い、また、その前後方向長さが、１対の第２連結壁１２のそれぞれの第２凸部２７の前後方向外側端部間の長さよりも短く、１対の第２連結壁１２のそれぞれの第２凹部２９の前後方向内側端部間の長さよりも長い領域として区画されている。
【００６３】
封止シート載置領域８５は、天壁１０において、固定シート載置領域８４の内側に区画されており、その左右方向長さが、１対の第１連結壁１１のそれぞれの第１凹部１９の左右方向内側端部間の長さよりもわずかに短く、その前後方向長さが、１対の第２連結壁１２のそれぞれの第２凹部２９の前後方向内側端部間の長さよりもわずかに短い領域として区画されている。
【００６４】
（２）枠部
枠部５は、図２および図３に示すように、位置決め部の一例としての１対の第１位置決め部３２と、位置決め部の一例としての１対の第２位置決め部３３（図４参照）と、鍔部３４とを備えている。
【００６５】
（２−１）第１位置決め部
１対の第１位置決め部３２は、左右方向に互いに間隔を隔てて配置され、前後方向に沿って延びるように形成されている。なお、１対の第１位置決め部３２を区別する場合には、左側の第１位置決め部３２を１対の第１位置決め部３２の一方側とし、右側の第１位置決め部３２を１対の第１位置決め部３２の他方側とする。第１位置決め部３２は、図３に示すように、第１内壁３７と、第１内壁３７と左右方向に対向する第１外壁３８と、第１内壁３７の上端部と第１外壁３８の上端部とを連結する第１上壁３９とを備えている。
【００６６】
第１内壁３７は、側面視略矩形の平板形状に形成されている。第１内壁３７は、上方に向かうに従って、わずかに左右方向外側に向かって傾斜するように形成されている。なお、第１内壁３７の下端縁は、溝部６（詳しくは、後述する第１底壁６９）と連続されている。
【００６７】
第１外壁３８は、側面視略矩形の平板形状に形成されている。第１外壁３８は、上方に向かうに従って、わずかに左右方向内側に向かって傾斜するように形成されている。
【００６８】
第１上壁３９は、第１内壁３７の上端縁と、第１外壁３８の上端縁とを連結する平面視略矩形の平板形状に形成されている。
【００６９】
すなわち、第１位置決め部３２は、第１内壁３７と、第１外壁３８と、第１内壁３７とから、上方に向かうに従って幅狭となる正断面視略台形状に形成されている。
【００７０】
（２−１−１）第１内壁
第１内壁３７は、図２に示すように、第３短部４５と、第３長部４６と、複数（７つ）の第３凸部４７（枠部側左右凸部）と、複数（６つ）の第３凹部４９（枠部側左右凹部）とを備えている。
【００７１】
第３短部４５は、第１内壁３７の前側部分であって、平面視略直線状の平板形状に形成されている。
【００７２】
第３長部４６は、第１内壁３７の後側部分であって、平面視略直線状の平板形状に形成されている。第３長部４６の前後方向長さは、第３短部４５の前後方向長さよりも長い。
【００７３】
第３凸部４７は、第１内壁３７における第３短部４５と第３長部４６との間において、前後方向に沿って等間隔に７つ配置されている。なお、最前端の第３凸部４７は第３短部４５と連続され、最後端の第３凸部４７は第３長部４６と連続されている。第３凸部４７は、図１および図２に示すように、第１内壁３７において、第１内壁３７の上側部分を除く左右方向内側部分から、左右方向内側に向かって湾曲するように突出する平面視略半円形状に形成されている。第３凸部４７の左右方向内側端部は、図２に示すように、左右方向において、第３短部４５および第３長部４６よりも左右方向内側となるように配置されている。
【００７４】
第３凹部４９は、第１内壁３７における第３短部４５と第３長部４６との間において、前後方向に沿って等間隔に６つ配置されている。第３凹部４９は、図１および図２に示すように、前後方向に隣接する第３凸部４７の間に連続して配置され、左右方向外側に向かって湾曲するように窪む平面視略半円形状に形成されている。第３凹部４９の左右方向外側端部は、図２に示すように、左右方向において、第３短部４５および第３長部４６と略同一位置となるように配置されている。
【００７５】
このように、第１内壁３７の前後方向端部に第３短部４５および第３長部４６が形成され、その間に連続して複数の第３凸部４７と複数の第３凹部４９とが、交互に形成されていることにより、平面視において、第１内壁３７は、前後方向両端部が前後方向に沿う略直線状であり、その前後方向略中央部分が前後方向に沿う波形状に形成されている。なお、第１内壁３７は、その第３凸部４７が第１連結壁１１の第１凹部１９と左右方向に対向し、その第３凹部４９が第１連結壁１１の第１凸部１７と左右方向に対向するような波形状に形成されている。つまり、第１内壁３７の波形状（複数の第３凸部４７と複数の第３凹部４９）と、第１連結壁１１の波形状（複数の第１凹部１９と複数の第２凸部２７）とは、前後方向に沿って、互い違いとなるように形成されている。
【００７６】
そして、上下方向に投影したときに、第１内壁３７において、第３凸部４７によって囲まれる略半円形状部分が、第３凸部上面４８として区画されている。すなわち、第３凸部上面４８は、複数の第３凸部４７に対応して、１対の第１位置決め部３２の第１内壁３７のそれぞれにおいて、前後方向に沿って、７つずつ区画されている。第３凸部上面４８は、図３に示すように、上下方向において、収容部４の天壁１０と略同一位置となるように配置されている。
（２−１−２）第１外壁
第１外壁３８は、図２に示すように、複数（３つ）の第１大凹部５２と、複数（３つ）の第１大凸部５１とを備えている。
【００７７】
第１大凹部５２は、第１外壁３８において、前後方向に沿って、等間隔に３つ配置されている。第１大凹部５２は、図１および図２に示すように、第１外壁３８の上下方向全域にわたって、左右方向内側に向かって平面視略矩形状に窪むように形成されている。
【００７８】
第１大凸部５１は、図２に示すように、第１外壁３８において、前後方向に沿って、等間隔に３つ配置されている。第１大凸部５１は、その内の２つが、前後方向に隣接する第１大凹部５２の間に連続して配置され、その内の１つが、最前端の第１大凹部５２と連続するように、第１大凹部５２の前側に配置されている。第１大凸部５１は、図１および図２に示すように、第１外壁３８の上下方向全域にわたって、左右方向外側に向かって平面略矩形状に突出するように形成されている。第１大凸部５１は、その前後方向長さが、第１大凹部５２の前後方向長さよりも長い。また、第１大凸部５１は、第１支持部５３を備えている。
【００７９】
第１支持部５３は、第１大凸部５１の前後方向略中央における上側部分から、左右方向内側に向かって平面視略矩形状に窪むように形成されている。第１支持部５３は、その前後方向長さが、第１大凹部５２の前後方向長さと略同一である。第１支持部５３の下面は、図３に示すように、収容部４の天壁１０と、上下方向において略同一位置となるように配置されている。
【００８０】
なお、封止シート収容器１の前端から、最前端の第１支持部５３までの長さと、封止シート収容器１の後端から、最後端の第１大凹部５２までの長さは略同一である。
（２−２）第２位置決め部
１対の第２位置決め部３３は、１対の第１位置決め部３２の前端部間および後端部間を架設するように、前後方向に互いに間隔を隔てて配置され、左右方向に沿って延びるように形成されている。なお、１対の第２位置決め部３３を区別する場合には、前側の第２位置決め部３３を１対の第２位置決め部３３の一方側とし、後側の第２位置決め部３３を１対の第２位置決め部３３の他方側とする。第２位置決め部３３は、その左右方向長さが、第１位置決め部３２の前後方向長さよりも短い。また、第２位置決め部３３は、図４に示すように、第２内壁４０と、第２内壁４０と前後方向に対向する第２外壁４１と、第２内壁４０の上端部と第２外壁４１の上端部とを連結する第２上壁４２とを備えている。
【００８１】
第２内壁４０は、正面視略矩形の平板形状に形成されている。第２内壁４０は、上方に向かうに従って、わずかに前後方向外側に向かって傾斜するように形成されている。なお、第２内壁４０の下端部は、溝部６（詳しくは、後述する第２底壁７０）と連続されている。
【００８２】
第２外壁４１は、正面視略矩形の平板形状に形成されている。第２外壁４１は、上方に向かうに従って、わずかに前後方向内側に向かって傾斜するように形成されている。
【００８３】
第２上壁４２は、第２内壁４０の上端縁と、第２外壁４１の上端縁とを連結する平面視略矩形の平板形状に形成されている。
【００８４】
すなわち、第２位置決め部３３は、第２内壁４０と、第２外壁４１と、第２上壁４２とから、上方に向かうに従って幅狭となる側断面視略台形状に形成されている。
【００８５】
（２−２−１）第２内壁
第２内壁４０は、図２に示すように、第４短部５５と、第４長部５６と、複数（５つ）の第４凸部５７（枠部側前後凸部）と、複数（４つ）の第４凹部５９（枠部側前後凹部）とを備えている。
【００８６】
第４短部５５は、第２内壁４０の左側部分であって、平面視略直線状の平板形状に形成されている。
【００８７】
第４長部５６は、第２内壁４０の右側部分であって、平面視略直線状の平板形状に形成されている。第４長部５６の左右方向長さは、第４長部５６の左右方向長さよりも長い。
【００８８】
第４凸部５７は、第２内壁４０における第４短部５５と第４長部５６との間において、左右方向に沿って等間隔に５つ配置されている。なお、最左端の第４凸部５７は第４短部５５と連続され、最右端の第４凸部５７は第４長部５６と連続されている。第４凸部５７は、図１および図２に示すように、第２内壁４０において、第２内壁４０の上側部分を除く前後方向内側部分から、前後方向内側に向かって湾曲するように突出する平面視略半円形状に形成されている。第４凸部５７の前後方向内側端部は、図２に示すように、前後方向において、第４短部５５および第４長部５６よりも前後方向内側となるように配置されている。
【００８９】
第４凹部５９は、第２内壁４０における第４短部５５と第４長部５６との間において、左右方向に沿って等間隔に４つ配置されている。第４凹部５９は、図１および図２に示すように、左右方向に隣接する第４凸部５７の間に連続して配置され、前後方向外側に向かって湾曲するように窪む平面視略半円形状に形成されている。第４凹部５９の前後方向外側端部は、図２に示すように、前後方向において、第４短部５５および第４長部５６と略同一位置となるように配置されている。
【００９０】
このように、第２内壁４０の左右方向端部に第４短部５５および第４長部５６が形成され、その間に連続して複数の第４凸部５７と複数の第３凹部４９とが、交互に形成されていることにより、平面視において、第２内壁４０は、左右方向両端部が左右方向に沿う略直線状であり、その左右方向略中央部分が左右方向に沿う波形状に形成されている。なお、第２内壁４０は、その第４凸部５７が第２連結壁１２の第２凹部２９と前後方向に対向し、その第４凹部５９が第１連結壁１１の第２凸部２７と前後方向に対向するような波形状に形成されている。つまり、第２内壁４０の波形状（複数の第４凸部５７と複数の第４凹部５９）と、第２連結壁１２の波形状（複数の第２凹部２９と複数の第２凸部２７）とは、左右方向に沿って、互い違いとなるように形成されている。
【００９１】
そして、上下方向に投影したときに、第２内壁４０において、第４凸部５７によって囲まれる略半円形状部分が、第４凸部上面５８として区画されている。すなわち、第４凸部上面５８は、複数の第４凸部５７に対応して、１対の第２位置決め部３３の第１内壁３７のそれぞれにおいて、左右方向に沿って、５つずつ区画されている。第４凸部上面５８は、図４に示すように、上下方向において、収容部４の天壁１０と略同一位置となるように配置されている。
（２−２−２）第２外壁
第２外壁４１は、図２に示すように、複数（２つ）の第２大凹部６２と、複数（２つ）の第２大凸部６１とを備えている。
【００９２】
第２大凹部６２は、第２外壁４１において、左右方向に沿って、互いに間隔を隔てて２つ配置されている。第２大凹部６２は、図１または図２に示すように、第２外壁４１の上下方向全域にわたって、前後方向内側に向かって平面視略矩形状に窪むように形成されている。
【００９３】
第２大凸部６１は、図２に示すように、第２外壁４１において、左右方向に沿って、互いに間隔を隔てて２つ配置されている。第２大凸部６１は、その内の１つが、左右方向に隣接する第２大凹部６２の間に連続して配置され、その内の１つが、左側の第２大凹部６２の左側に配置されている。第２大凸部６１は、図１および図２に示すように、第２外壁４１の上下方向全域にわたって、前後方向外側に向かって平面視略矩形状に突出するように形成されている。第２大凸部６１は、その左右方向長さが、第２大凹部６２の左右方向長さよりも長い。また、第２大凸部６１は、第２支持部６３を備えている。
【００９４】
第２支持部６３は、第２大凸部６１の左右方向略中央における上側部分から、前後方向内側に向かって平面視略矩形状に窪むように形成されている。第２支持部６３は、その左右方向長さが、第２大凹部６２の左右方向長さと略同一である。第２支持部６３の下面は、図４に示すように、収容部４の天壁１０と、上下方向において略同一位置となるように配置されている。
【００９５】
なお、封止シート収容器１の左端から、左側の第２支持部６３までの長さと、封止シート収容器１の右端から、右側の第２大凹部６２までの長さは略同一である。
（２−３）鍔部
鍔部３４は、図１および図２に示すように枠部５の周縁部分であって、１対の第１位置決め部３２の第１外壁３８の下端縁、および、１対の第２位置決め部３３の第２外壁４１の下端縁と連続する平面視略矩形枠形状の平板形状に形成されている。鍔部３４は、図３に示すように、上下方向において、溝部６（詳しくは、後述する１対の第１底壁６９と、１対の第２底壁７０）と略同一位置となるように配置されている。そして、図２に示すように、上下方向に投影したときに、第１大凹部５２によって囲まれる鍔部３４の略矩形状部分が、第１被支持部６４として区画されている。すなわち、第１被支持部６４は、複数の第１支持部５３に対応して、鍔部３４の左右方向両側に３つずつ区画されている。また、上下方向に投影したときに、第２大凹部６２によって囲まれる鍔部３４の略矩形状部分が、第２被支持部６５として区画されている。すなわち、第２被支持部６５は、複数の第２支持部６３に対応して、鍔部３４の前後方向両側に２つずつ区画されている。
【００９６】
（３）溝部
溝部６は、１対の端部の一例としての１対の第１底壁６９と、１対の端部の一例としての１対の第２底壁７０とを備えている。
【００９７】
１対の第１底壁６９は、溝部６の左側部分および右側部分であって、互いに左右方向に間隔を隔てて配置されている。
【００９８】
具体的には、左側の第１底壁６９（１対の第１底壁６９の一方側）は、左前側の架設部７と左後側の架設部７との下端部間を連結するとともに、左側の第１連結壁１１（１対の第１底壁６９の他方側）と左側の第１内壁３７との下端部間を連結する、前後方向に長手の平面視略矩形の平板形状に形成されている。右側の第１底壁６９は、右前側の架設部７と右後側の架設部７との下端部間を連結するとともに、右側の第１連結壁１１と右側の第１内壁３７との下端部間を連結する、前後方向に長手の平面視略矩形の平板形状に形成されている。
【００９９】
なお、第１底壁６９において、上下方向に投影したときに、第１連結壁１１の第１凹部１９によって囲まれる略半円形状部分が、第１凹部下面７３として区画されている。また、第１底壁６９の後側において、最後端の第１凸部１７および第１長部１６の前側部分と隣接する部分が、第１凹部下面７３として区画されている。すなわち、第１凹部下面７３は、１対の第１底壁６９の左右方向内側部分のそれぞれにおいて、前後方向に沿って、６つずつ区画されている。
【０１００】
また、第１底壁６９において、上下方向に投影したときに、第１内壁３７の第３凹部４９によって囲まれる略半円形状部分が、第３凹部下面７６として区画されている。また、第１底壁６９の後側において、最後端の第３凸部４７および第３長部４６の前側部分と隣接する部分とが、第３凹部下面７６として区画されている。すなわち、第３凹部下面７６は、１対の第１底壁６９の左右方向外側部分のそれぞれにおいて、前後方向に沿って、７つずつ区画されている。
【０１０１】
１対の第２底壁７０は、溝部６の前側部分および後側部分であって、互いに前後方向に間隔を隔てて配置されている。
【０１０２】
具体的には、前側の第２底壁７０（１対の第２底壁７０の一方側）は、左前側の架設部７と右前側の架設部７との下端部間を連結するとともに、前側の第２連結壁１２と前側の第２内壁４０との下端部間を連結する、左右方向に長手の平面視略矩形の平板形状に形成されている。後側の第２底壁７０（１対の第２底壁７０の他方側）は、左後側の架設部７と右後側の架設部７との下端部間を連結するとともに、後側の第２連結壁１２と後側の第２内壁４０との下端部間を連結する、左右方向に長手の平面視略矩形の平板形状に形成されている。
【０１０３】
なお、第２底壁７０において、上下方向に投影したときに、第２連結壁１２の第２凹部２９によって囲まれる略半円形状部分が、第２凹部下面７４として区画されている。すなわち、第２凹部下面７４は、１対の第２底壁７０の前後方向内側部分のそれぞれにおいて、左右方向に沿って、５つずつ区画されている。
【０１０４】
また、第２底壁７０において、上下方向に投影したときに、第２内壁４０の第４凹部５９によって囲まれる略半円形状部分が第４凹部下面７７として区画されている。また、第２底壁７０の右側において、最右端の第４凸部５７および第４長部５６の左側部分と隣接する部分とが、第４凹部下面７７として区画されている。すなわち、第４凹部下面７７は、１対の第２底壁７０の前後方向外側部分のそれぞれにおいて、左右方向に沿って、５つずつ区画されている。
【０１０５】
（４）架設部
架設部７は、収容部４の４つの角にそれぞれ配置され、封止シート収容器１の対角線に沿って延びるように収容部４と枠部５とを架設している。架設部７は、上方に向かうに従って、幅狭となる断面視略台形状に形成されている。架設部７は、溜部８０を備えている。
【０１０６】
溜部８０は、架設部７の外側部分であって、枠部５の４つの角（１対の第１位置決め部３２と、１対の第２位置決め部３３との連結部分）に対して、封止シート収容器１の内側から隣接するように配置され、下方に向かって略半円形状に窪むように形成されている。
【０１０７】
２．固定シートの構成
固定シート９３は、図１に示すように、例えば、ポリエチレンテレフタレート（ＰＥＴ）からなり、上下方向に一定の厚み（例えば、０．０２〜０．２０ｍｍ）を有する前後左右方向に延びるフレキシブルな薄板状に形成されている。固定シート９３の前後左右方向長さは、固定シート載置領域８４の前後左右方向長さと同一である。
【０１０８】
固定シート９３は、その上面が表面タックを有する片面粘着シートから形成されている。固定シート９３の粘着力は、詳しくは後述するが、固定シート９３に対して、上側から封止シート収容器１の第１凹部下面７３および第２凹部下面７４が接触されただけでは、封止シート収容器１に接着しないように、例えば、１Ｐａ以上、好ましくは、５Ｐａ以上であり、例えば、１００Ｐａ以下、好ましくは、５０Ｐａ以下に設定されている。なお、固定シート９３の粘着力が１００Ｐａよりも大きいと、固定シート９３に対して、封止シート収容器１の第１凹部下面７３および第２凹部下面７４が接触された状態から、封止シート収容器１を上方に持ち上げたときに、固定シート９３が封止シート収容器１に追従して持ち上がってしまう場合がある。固定シート９３の粘着力が１Ｐａよりも小さいと、後述する積重ね位置において、封止シート収容器１（後述する封止シート収容器１Ｂ）で固定シート９３を固定することが困難となり、封止シート９６（後述）を安定して出荷、搬送できない場合がある。また、固定シート９３の封止シート９６（後述）に対する粘着力は、固定シート９３の封止シート収容器１に対する粘着力よりも大きいことが好ましい。
【０１０９】
３．封止シートの構成
封止シート９６は、図１３Ａに示すように、基材９７と封止層９８とを備えている。
【０１１０】
基材９７は、樹脂フィルムなどからなり、上下方向に一定の厚み（例えば、０．０２〜１．５０ｍｍ）を有する左右方向に長手の平面視略矩形の薄板状に形成されている。
【０１１１】
封止層９８は、粘着性を有する樹脂（粘着剤）から、平面視における基材９７の略中央部分に積層される平面視略矩形の薄板状に形成されている。
【０１１２】
なお、封止シート９６は、その基材９７の形状および大きさ、また、その封止層９８の形状および大きさが特に限定されず、基材９７は封止シート載置領域８５よりも小さく、封止層９８は基材９７よりも小さければ、どのような形状でもよい。例えば、図１３Ｂに示すように、封止シート９６は、平面視略円形状の薄板状に形成されていてもよい。また、封止シート９６は、図示しないが、例えば、平面視略三角形状の薄板状、平面視略Ｌ字状の薄板状、または、平面視略星形状の薄板状などに形成されていてもよい。
【０１１３】
４．封止シート収容器の重ね合わせ
上記した封止シート収容器１は、上下方向において、２つ以上重ねることができる。封止シート収容器１は、図５に示すように、上記した封止シート９６を収容可能な収容位置と、図９に示すように、封止シート９６を収容しない積重ね位置とに選択的に重ねることができる。
【０１１４】
封止シート収容器１の重ね合わせを説明するにあたって、図５〜図１１において、下側の封止シート収容器１を封止シート収容器１Ａとし、封止シート収容器１Ａに属する全ての部材には、その符号の末尾にＡを付し、また、上側の封止シート収容器１を封止シート収容器１Ｂとし、封止シート収容器１Ｂに属する全ての部材には、その符号の末尾にＢを付し、２つの封止シート収容器１を区別する。
【０１１５】
（１）収容位置
封止シート収容器１を、封止シート９６を収容可能な収容位置に重ねるには、まず、２つの同一形状の封止シート収容器１と、固定シート９３と、封止シート９６を用意する。
【０１１６】
そして、図６に示すように、封止シート収容器１Ａの天壁１０Ａに固定シート９３を載置する。
【０１１７】
天壁１０Ａに固定シート９３を載置するには、天壁１０Ａの固定シート載置領域８４Ａに対して、固定シート９３の非接着面（下面）が接触されるように、固定シート９３を上側から載置する。これにより、固定シート９３は、天壁１０Ａの固定シート載置領域８４Ａに載置される。
【０１１８】
次いで、固定シート９３に、封止シート９６を載置する。
【０１１９】
固定シート９３に封止シート９６を載置するには、天壁１０Ａの封止シート載置領域８５Ａ内において、固定シート９３に対して、封止シート９６の基材９７が接触されるように、封止シート９６を上側から載置する。これにより、封止シート９６は、天壁１０Ａの封止シート載置領域８５Ａに載置される。
【０１２０】
また、固定シート９３と封止シート９６とを天壁１０Ａに載置する方法は、上記した順番に限定されず、まず、固定シート９３に対して封止シート９６を載置してから、封止シート９６が載置された固定シート９３を天壁１０Ａに載置することもできる。
【０１２１】
なお、封止シート９６は、図１３に示すように、封止シート載置領域８５に収まれば、どのような形状であっても、複数配置することができる。
【０１２２】
次に、図５に示すように、固定シート９３および封止シート９６が載置された封止シート収容器１Ａに対して、封止シート収容器１Ｂを上側から重ね合わせる。
【０１２３】
詳しくは、図５および図６に示すように、封止シート収容器１Ａに対して、封止シート収容器１Ｂを、平面視における封止シート収容器１の対角線（図示せず）の交点を通る上下方向に沿う中点Ｚを回転中心として、１８０°回転させる。つまり、封止シート収容器１Ｂを、仮想線Ｙに対して、１対の第１連結壁１１Ｂ一方側と他方側とが入れ替わるとともに、仮想線Ｘに対して、１対の第２連結壁１２Ｂの一方側と他方側とが入れ替わるように配置する。
【０１２４】
そうして、上下方向に投影したときに、１対の第１連結壁１１Ａの一方側と１対の第１連結壁１１Ｂの他方側、１対の第２連結壁１２Ａの一方側と１対の第２連結壁１２Ｂの他方側、１対の第１位置決め部３２Ａの一方側と１対の第１位置決め部３２Ｂの他方側、および、１対の第２位置決め部３３Ａの一方側と１対の第２位置決め部３３Ｂの他方側が、それぞれ一致するように、封止シート収容器１Ｂを封止シート収容器１Ａに対して、上側から重ね合わせる。
【０１２５】
そうすると、図６に示すように、平面視において、第１連結壁１１Ａの第１短部１５Ａと、第１連結壁１１Ｂの第１長部１６Ｂとが重なり、第１連結壁１１Ａの第１長部１６Ａと、第１連結壁１１Ｂの第１短部１５Ｂとが重なることによって、第１連結壁１１Ａにおける第１凸部１７Ａおよび第１凹部１９Ａからなる波形状と、第１連結壁１１Ｂにおける第１凸部１７Ｂおよび第１凹部１９Ｂからなる波形状とがずれるように重なる。つまり、上下方向に投影したときに、第１凸部１７Ａと第１凹部１９Ｂとが重なり、第１凹部１９Ａと第１凸部１７Ｂとが重なる。
【０１２６】
また、平面視において、第２連結壁１２Ａの第２短部２５Ａと、第２連結壁１２Ｂの第２長部２６Ｂとが重なり、第２連結壁１２Ａの第２長部２６Ａと、第２連結壁１２Ｂの第２短部２５Ｂとが重なることによって、第２連結壁１２Ａにおける第２凸部２７Ａおよび第２凹部２９Ａからなる波形状と、第２連結壁１２Ｂにおける第２凸部２７Ｂおよび第２凹部２９Ｂからなる波形状とがずれるように重なる。つまり、上下方向に投影したときに、第２凸部２７Ａと第２凹部２９Ｂとが重なり、第２凹部２９Ａと第２凸部２７Ｂとが重なる。
【０１２７】
また、平面視において、第１内壁３７Ａの第３短部４５Ａと、第１内壁３７Ｂの第３長部４６Ｂとが重なり、第１内壁３７Ａの第３長部４６Ａと、第１内壁３７Ｂの第３短部４５Ｂとが重なることによって、第１内壁３７Ａにおける第３凸部４７Ａおよび第３凹部４９Ａからなる波形状と、第１内壁３７Ｂにおける第３凸部４７Ｂおよび第３凹部４９Ｂからなる波形状とがずれるように重なる。つまり、上下方向に投影したときに、第３凸部４７Ａと第３凹部４９Ｂとが重なり、第３凹部４９Ａと第３凸部４７Ｂとが重なる。
【０１２８】
また、平面視において、第２内壁４０Ａの第４短部５５Ａと、第２内壁４０Ｂの第４長部５６Ｂとが重なり、第２内壁４０Ａの第４長部５６Ａと、第２内壁４０Ｂの第４短部５５Ｂとが重なることによって、第２内壁４０Ａにおける第４凸部５７Ａおよび第４凹部５９Ａからなる波形状と、第２内壁４０Ｂにおける第４凸部５７Ｂおよび第４凹部５９Ｂからなる波形状とがずれるように重なる。つまり、上下方向に投影したときに、第４凸部５７Ａと第４凸部５７Ｂとが重なり、第４凹部５９Ａと第４凹部５９Ｂとが重なる。
【０１２９】
これにより、図７および図８に示すように、封止シート収容器１Ａの複数の第１凸部上面１８Ａに、封止シート収容器１Ｂの複数の第１凹部下面７３Ｂが当接され、封止シート収容器１Ａの複数の第２凸部上面２８Ａに、封止シート収容器１Ｂの複数の第２凹部下面７４Ｂが当接され、封止シート収容器１Ａの複数の第３凸部上面４８Ａに、封止シート収容器１Ｂの複数の第３凹部下面７６Ｂが当接され、封止シート収容器１Ａの複数の第４凸部上面５８Ａに、封止シート収容器１Ｂの複数の第４凹部下面７７Ｂが当接される。つまり、第１連結壁１１Ａと第１連結壁１１Ｂとが、上下方向に並ぶように配置されるとともに、第２連結壁１２Ａと第２連結壁１２Ｂとが、上下方向に並ぶように配置されることにより、天壁１０Ａと天壁１０Ｂとが相対的に離間され、天壁１０Ａと収容部４Ｂとによって囲まれる空間が、収容空間８８として区画される。
【０１３０】
収容空間８８の上下方向長さ、すなわち、天壁１０Ａおよび天壁１０Ｂ間の長さＬ１は、例えば、３．０ｍｍ以上、好ましくは、５．０ｍｍ以上であり、例えば、３０．０ｍｍ以下、好ましくは、２０．０ｍｍ以下である。
【０１３１】
これにより、固定シート載置領域８４に載置される固定シート９３は、その左右方向両端部が、複数の第１凸部上面１８Ａと、複数の第１凹部下面７３Ｂとに挟まれるとともに、その前後方向両端部が複数の第２凸部上面２８Ａと、複数の第２凹部下面７４Ｂとに挟まれることにより、封止シート収容器１Ａおよび封止シート収容器１Ｂによって固定される。なお、固定シート９３の粘着力は、封止シート収容器１Ａから封止シート収容器１Ｂを離間させたとしても、第１凹部下面７３Ｂおよび第２凹部下面７４Ｂに追従しない程度に設定されているため、固定シート９３が固定シート載置領域８４から移動することはない。
【０１３２】
また、封止シート収容器１Ａの複数の第１支持部５３Ａに、封止シート収容器１Ｂの複数の第１大凹部５２Ｂが嵌合されることで、複数の第１支持部５３Ａの下面に、複数の第１被支持部６４が当接されるとともに、封止シート収容器１Ａの複数の第２支持部６３Ａに、封止シート収容器１Ｂの複数の第２大凹部６２Ｂが嵌合されることで、複数の第２支持部６３Ａの下面に、複数の第２被支持部６５が当接される。
【０１３３】
このように、枠部５Ａに対して、枠部５Ｂが係合されることにより、封止シート収容器１Ａに対する封止シート収容器１Ｂの前後左右方向への移動が規制される。
【０１３４】
こうして、封止シート収容器１Ａに対して、封止シート収容器１Ｂが位置決めされる。
【０１３５】
以上により、２つの封止シート収容器１は、封止シート９６を収容可能な収容位置に重ねられる。
【０１３６】
なお、図１２Ａに示すように、封止シート収容器１を収容位置に複数重ねることによって、多くの封止シート９６を収容することができる。
【０１３７】
（２）積重ね位置
封止シート収容器１を、封止シート９６を収容しない積重ね位置に重ねるには、２つの同一形状の封止シート収容器１を用意する。
【０１３８】
そして、封止シート収容器１Ａに対して、封止シート収容器１Ｂを上側から重ね合わせる。
【０１３９】
詳しくは、上下方向に投影したときに、１対の第１連結壁１１Ａの一方側と１対の第１連結壁１１Ｂの一方側、１対の第２連結壁１２Ａの一方側と１対の第２連結壁１２Ｂの一方側、１対の第１位置決め部３２Ａの他方側と１対の第１位置決め部３２Ｂの他方側、および、１対の第２位置決め部３３Ａの他方側と１対の第２位置決め部３３Ｂの他方側が、それぞれ一致するように、封止シート収容器１Ｂを封止シート収容器１Ａに対して、上側から組み付ける。
【０１４０】
これにより、図１０に示すように、１対の第１連結壁１１Ｂが、１対の第１連結壁１１Ａの傾斜に沿うように接触され、１対の第１位置決め部３２Ｂが、１対の第１位置決め部３２Ａの傾斜に沿うように接触される、また、図１１に示すように、１対の第２連結壁１２Ｂが、１対の第２連結壁１２Ａの傾斜に沿うように接触され、１対の第２位置決め部３３Ｂが、１対の第２位置決め部３３Ａの傾斜に沿うように接触される。
【０１４１】
なお、このとき、左右方向に投影したときに、第１連結壁１１Ａと第１連結壁１１Ｂとにおいては、第１凸部１７Ａと第１凸部１７Ｂとが重なり、第１凹部１９Ａと第１凹部１９Ｂとが重なり、第１位置決め部３２Ａと第１位置決め部３２Ｂとでは、第３凸部４７Ａと第３凸部４７Ｂとが重なり、第３凹部４９Ａと第３凹部４９Ｂとが重なる。
【０１４２】
また、前後方向に投影したときに、第２連結壁１２Ａと第２連結壁１２Ｂとにおいては、第２凸部２７Ａと第２凸部２７Ｂとが重なり、第２凹部２９Ａと第２凹部２９Ｂとが重なり、第２位置決め部３３Ａと第２位置決め部３３Ｂとでは、第４凸部５７Ａと第４凸部５７Ｂとが重なり、第４凹部５９Ａと第４凹部５９Ｂとが重なる。
【０１４３】
そして、封止シート収容器１Ａの天壁１０Ａと、封止シート収容器１Ｂの天壁１０Ｂとが相対的に近接される。天壁１０Ａおよび天壁１０Ｂ間の長さＬ２は、例えば、０．１ｍｍ以上であり、例えば、１．０ｍｍ以下、好ましくは、０．５ｍｍ以下である。
【０１４４】
これにより、収容位置における２つの封止シート収容器１の積重ね長さよりも短くなる。
【０１４５】
以上により、２つの封止シート収容器１は、封止シート９６を収容しない積重ね位置に重ねられる。
【０１４６】
なお、図１２Ｂに示すように、封止シート収容器１を積み重ね位置に複数重ねることによって、複数の封止シート収容器１の出荷・搬送時に省スペース化を図ることができる。
【０１４７】
５．作用効果
この封止シート収容器１では、図７に示すように、２つの同一形状の封止シート収容器１を、収容位置に重ねると、２つの封止シート収容器１の１対の第１連結壁１１同士が上下方向に並ぶように配置されるとともに、図８に示すように、２つの封止シート収容器１の１対の第２連結壁１２同士が上下方向に並ぶように配置され、２つの封止シート収容器１の天壁１０同士が相対的に離間することにより、封止シート９６を収容可能な収容空間８８が形成される。また、図１０に示すように、２つの封止シート収容器１を、積重ね位置に重ねると、２つの封止シート収容器１の１対の第１連結壁１１同士が左右方向に並ぶように配置されるとともに、図１１に示すように、１対の第２連結壁１２同市が前後方向に並ぶように配置され、２つの封止シート収容器１の天壁１０同士が相対的に近接することにより、２つの封止シート収容器１の積重ね長さが、収容位置における２つの封止シート収容器１の積重ね長さよりも短くなる。
【０１４８】
つまり、２つの封止シート収容器１から、封止シート９６を収容可能な収容空間８８が形成される収容位置（図５参照）と、収容位置における２つの封止シート収容器１の積重ね長さよりも、２つの封止シート収容器１の積重ね長さが短くなる積重ね位置（図９参照）とを構成することができる。
【０１４９】
そのため、封止シート収容器１を２つ重ねることによって、図５に示すように、収容位置では、封止シート９６を収容可能な収容空間８８に、封止シート９６を収容・保護することができ、図９に示すように、積重ね位置では、封止シート９６を収容する必要がないので、２つの封止シート収容器１の積重ね長さを短くして、省スペース化を図ることができる。
【０１５０】
また、収容位置において、図７に示すように、封止シート収容器１Ｂの第１凸部１７Ｂと、封止シート収容器１Ａの第１凹部１９Ａとが重なり、封止シート収容器１Ｂの第１凹部１９Ｂと、封止シート収容器１Ａの第１凸部１７Ａとが重なる、言い換えると、封止シート収容器１Ｂの第１凸部１７Ｂの下端部と、封止シート収容器１Ａの第１凹部１９Ａの上端部とは非接触であり、封止シート収容器１Ｂの第１凹部１９Ｂの下端部（すなわち、第１凹部下面７３Ｂ）と、封止シート収容器１Ａの第１凸部１７Ａの上端部（すなわち、第１凸部上面１８Ａ）とは当接される。また、収容位置において、図８に示すように、封止シート収容器１Ｂの第２凸部２７Ｂと、封止シート収容器１Ａの第２凹部２９Ａとが重なり、封止シート収容器１Ｂの第２凹部２９Ｂと、封止シート収容器１Ａの第２凸部２７Ａとが重なる、言い換えると、封止シート収容器１Ｂの第２凸部２７Ｂの下端部と、封止シート収容器１Ａの第２凹部２９Ａの上端部とは非接触であり、封止シート収容器１Ｂの第２凹部２９Ｂの下端部（すなわち、第２凹部下面７４Ｂ）と、封止シート収容器１Ａの第２凸部２７Ａの上端部（すなわち、第２凸部上面２８Ａ）とは当接される。
【０１５１】
例えば、収容位置における封止シート９６を収容可能な収容空間８８に、封止シート９６を載置するときに、封止シート９６を固定するための固定シート９３を用いる場合がある。
【０１５２】
このような場合には、図６に示すように、固定シート９３を、上下方向に投影したときに、封止シート収容器１Ａの第１凹部１９Ａおよび第１凸部１７Ａと重なるように配置することによって、図７に示すように、第１凹部下面７３Ｂと、第１凸部上面１８Ａとで、固定シート９３の一部を挟み、固定することができる。また、固定シート９３を、上下方向に投影したときに、封止シート収容器１Ａの第２凹部２９Ａおよび第２凸部２７Ａと重なるように配置することによって、図８に示すように、第２凹部下面７４Ｂと、第２凸部上面２８Ａとで、固定シート９３の一部を挟み、固定することができる。
【０１５３】
そのため、収容空間８８を形成するための１対の第１連結壁１１の第１凹部１９および第１凸部１７と、１対の第２連結壁１２の第２凹部２９および第２凸部２７を利用して、固定シート９３を固定することができ、封止シート収容器１に、より効率的に封止シート９６を収容することができる。
【０１５４】
また、この封止シート収容器１では、図２に示すように、１対の第１連結壁１１を仮想線Ｙに対して線対称に形成し、１対の第２連結壁１２を仮想線Ｘに対して線対称に形成している。
【０１５５】
そのため、図６に示すように、封止シート収容器１Ｂを、仮想線Ｙに対して、封止シート収容器１Ｂの１対の第１連結壁１１Ｂの一方側と他方側とが入れ替わるように配置し、仮想線Ｘに対して封止シート収容器１Ｂの１対の第２連結壁１２Ｂの一方側と他方側とが入れ替わるように配置するだけで、封止シート収容器１Ａと封止シート収容器１Ｂとを収容位置と積重ね位置とに切り替えることができる。
【０１５６】
そのため、簡易な作業により収容位置と積重ね位置とに選択的に重ねることができる。
【０１５７】
また、１対の第１連結壁１１を仮想線Ｙに対して線対称に形成することで、１対の第１連結壁１１のそれぞれを同一形状に形成することができ、１対の第２連結壁１２を仮想線Ｘに対して線対称に形成することで、１対の第２連結壁１２のそれぞれを同一形状に形成することができる。
【０１５８】
また、この封止シート収容器１では、図６に示すように、２つの同一形状の封止シート収容器１を収容位置に重ねると、上下方向に投影したときに、封止シート収容器１Ｂの複数の第１凹部１９Ｂのそれぞれと、封止シート収容器１Ａの複数の第１凸部１７Ａのそれぞれとが重なり、封止シート収容器１Ｂの第２凹部２９Ｂのそれぞれと、封止シート収容器１Ａの複数の第２凸部２７Ａのそれぞれとが重なるように配置される。
【０１５９】
そのため、複数の当接部分を有するように２つの封止シート収容器１を重ね合わせることができるので、２つの封止シート収容器１によって、封止シート９６を収容可能な収容空間８８を安定して形成することができる。
【０１６０】
また、封止シート収容器１に第１凸部１７と第１凹部１９とが複数設けられ、第２凸部２７と第２凹部２９とが複数設けられていたとしても、２つの封止シート収容器１を積重ね位置に重ねると、図１０に示すように、左右方向に投影したときに、２つの封止シート収容器１のそれぞれの第１凸部１７同士が重なるように配置され、２つの封止シート収容器１のそれぞれの第１凹部１９同士が重なるように配置される、また、図１１に示すように、前後方向に投影したときに２つの封止シート収容器１のそれぞれの第２凸部２７同士が重なるように配置され、２つの封止シート収容器１のそれぞれの第２凹部２９同士が重なるように配置される。
【０１６１】
そのため、第１凸部１７および第１凹部１９、または、第２凸部２７および第２凹部２９の数量に関係なく、２つの封止シート収容器１の１対の第１連結壁１１同士を左右方向に並ぶように配置し、２つの封止シート収容器１の１対の第２連結壁１２同市を前後方向に並ぶように配置することができ、２つの封止シート収容器１の積重ね長さを短くすることができる。
【０１６２】
その結果、図５に示すように、２つの封止シート収容器１を収容位置に重ねるときには、封止シート９６を収容する収容空間８８を安定して形成することができながら、図９に示すように、２つの封止シート収容器１を積重ね位置に重ねるときには、封止シート９６を収容しないときの２つの封止シート収容器１の積重ね長さを、短く保つことができる。
【０１６３】
その結果、封止シート９６の品質を確実に保つことができる。
【０１６４】
この封止シート収容器１では、図７に示すように、２つの封止シート収容器１を重ねるときに、１対の第１位置決め部３２Ａの複数の第１支持部５３Ａに、１対の第１位置決め部３２Ｂの複数の第１大凹部５２Ｂが嵌合されることで、収容位置においては、上下方向に投影したときに、封止シート収容器１Ｂの第１凸部１７Ｂと、封止シート収容器１Ａの第１凹部１９Ａとが重なり、封止シート収容器１Ｂの第１凹部１９Ｂと、封止シート収容器１Ａの第１凸部１７Ａとが重なるように、確実に位置決めすることができる。また、１対の第２位置決め部３３Ａの複数の第２支持部６３Ａに、１対の第２位置決め部３３Ｂの複数の第２大凹部６２Ｂが嵌合されることで、封止シート収容器１Ｂの第２凸部２７Ｂと、封止シート収容器１Ａの第２凹部２９Ａとが重なり、封止シート収容器１Ｂの第２凹部２９Ｂと封止シート収容器１Ａの第２凸部２７Ａとが重なるように確実に位置決めすることができる。
【０１６５】
その結果、収容位置および積重ね位置の各位置において、２つの封止シート収容器１を安定して重ねることができる。
【符号の説明】
【０１６６】
１      封止シート収容器
１０    天壁
１１    第１連結壁
１２    第２連結壁
１７    第１凸部
１９    第１凹部
２７    第２凸部
２９    第２凹部
３２    第１位置決め部
３３    第２位置決め部
６９    第１底壁
７０    第２底壁
８８    収容空間
９６    第１底壁
【図１】
2014183299.tif 000003
【図２】
2014183299.tif 000004
【図３】
2014183299.tif 000005
【図４】
2014183299.tif 000006
【図５】
2014183299.tif 000007
【図６】
2014183299.tif 000008
【図７】
2014183299.tif 000009
【図８】
2014183299.tif 000010
【図９】
2014183299.tif 000011
【図１０】
2014183299.tif 000012
【図１１】
2014183299.tif 000013
【図１２】
2014183299.tif 000014
【図１３】
2014183299.tif 000015